(57)【特許請求の範囲】
【請求項１】
外部から水が流入される入水部と、
前記入水部に流入された水が流動する流動部と、
前記流動部を流動する水を加熱する加熱部と、
前記加熱部によって加熱された水が外部に排出される出水部と、を含み、
前記流動部は、前記加熱部の内部に配置される流路形成部材と、前記加熱部と流路形成部材との間に加熱流路が形成されるように前記流路形成部材を前記加熱部に密着させる密着加圧部と、を含み、
前記流路形成部材の外周には前記加熱流路を形成する流路形成溝が形成され、
前記密着加圧部は、前記流路形成部材の内部に形成された挿入部に挿入され、前記流路形成部材を前記加熱部側に加圧する加圧部材と、前記加圧部材に加圧力を作用させる加圧力作用部材と、をさらに含み、
前記加圧部材は複数個であり、互いに合わさると、前記挿入部の形状に対応する中空の円筒、楕円筒、または多角筒を形成し、
前記加圧力作用部材は、前記複数個の加圧部材が合わさって形成される中空の円筒、楕円筒、または多角筒に対応する円柱、楕円柱、または多角柱の形状であるため、前記複数個の加圧部材が合わさって形成される中空の円筒、楕円筒、または多角筒に挿入され、
前記加圧力作用部材の外径は、前記加圧部材が合わさって形成される中空の円筒、楕円筒、または多角筒の内径より大きい、瞬間加熱装置。
【請求項２】
前記加圧力作用部材は、前記挿入部に形成された嵌合孔に嵌合される嵌合突起を有する、請求項１に記載の瞬間加熱装置。
【請求項３】
前記流路形成部材はシリコンからなる、請求項１に記載の瞬間加熱装置。
【請求項４】
前記流路形成溝は螺旋状である、請求項１に記載の瞬間加熱装置。
【請求項５】
前記入水部と出水部には、それぞれ入水流路と出水流路が形成されている、請求項１に記載の瞬間加熱装置。
【請求項６】
前記入水部の一部と出水部の一部は、前記流路形成部材の内部に形成された挿入部の一方の側と他方の側にそれぞれ挿入される、請求項５に記載の瞬間加熱装置。
【請求項７】
前記流路形成部材の一方の側と他方の側には、前記入水流路及び出水流路と前記加熱流路とをそれぞれ連結する第１連結孔と第２連結孔がそれぞれ形成されている、請求項５に記載の瞬間加熱装置。
【請求項８】
前記入水部または出水部は、前記入水流路や出水流路を流動する水の温度を測定する温度センサーを含む、請求項５に記載の瞬間加熱装置。
【請求項９】
前記加熱部は、
前記流路形成部材が内部に配置される加熱部材と、
前記加熱部材に取り付けられて前記加熱部材を加熱するヒーターと、を含む、請求項１に記載の瞬間加熱装置。
【請求項１０】
前記ヒーターは面状発熱型のヒーターである、請求項９に記載の瞬間加熱装置。
【請求項１１】
前記入水部、加熱部、及び出水部を覆うカバー部をさらに含む、請求項１に記載の瞬間加熱装置。
【請求項１２】
前記カバー部は、
前記入水部、及び前記加熱部の一部を覆う入水側カバー部材と、
前記入水側カバー部材に結合され、前記加熱部の残りの部分及び出水部を覆う出水側カバー部材と、を含む、請求項１１に記載の瞬間加熱装置。
【発明の詳細な説明】
【技術分野】
【０００１】
本発明は、流入された水を比較的早い時間内に所定温度に加熱してユーザーに供給する瞬間加熱装置に関し、より詳細には、水が流動しながら加熱される加熱流路の変形を最小化することができる瞬間加熱装置に関する。
【背景技術】
【０００２】
温水タンクとは、貯蔵された水を所定温度に加熱してからユーザーに供給する装置である。そのために、温水タンクでは、貯蔵された水の温度が常に所定温度に維持されるべきである。例えば、温水タンクは、所定温度に加熱された水の温度が所定温度より低くなると、所定温度以上に再加熱することを繰り返すことで、貯蔵された水の温度が常に所定温度に維持されるようにする。
【０００３】
このように、温水タンクでは、貯蔵された水の温度が常に所定温度に維持されるようにしなければならないため、水の加熱に比較的多くのエネルギーが必要となり、また、温水タンクに水が長期間貯蔵されるため、温水タンクの内部面が水によって腐食されたり、水スケールが付着したりするなど、衛生上の問題があった。
【０００４】
かかる温水タンクの問題を解決するために、瞬間加熱装置が開発されている。瞬間加熱装置は、水を比較的短時間で所定温度に加熱してユーザーに供給する。
【０００５】
これにより、必要な分だけの水を所定温度に加熱してユーザーに供給するため、水の加熱に必要なエネルギーが比較的少なくて済み、また、水が貯蔵されないので、衛生性が向上する。
【０００６】
このような瞬間加熱装置は、通常、流動する水を直接加熱するように構成される。そのため、瞬間加熱装置には、水が流動しながら加熱される加熱流路を含んでいる。
【０００７】
加熱流路は、流動する水に直接熱を加えるものであり、熱を加える時間が長くなるように、その長さができるかぎり長くなるようにする。そのため、加熱流路は、１つの部材で形成されるというよりもむしろ、多数の部材を組み合わせることにより形成される。例えば、加熱流路は、１つの部材を他の部材内に嵌め込む嵌合方式により形成される。
【０００８】
一方、加熱流路は、水が流動する間に局部的に過熱しないように、所定の体積を有するように形成される。
【０００９】
しかしながら、上述のように多数の部材を組み合わせて加熱流路を形成する場合、加熱流路の形成時や瞬間加熱装置の使用時に加熱流路が変形し、上述の所定の体積を有しなくなることが比較的頻繁に発生した。
【００１０】
これにより、加熱流路を流動する水が、上述のような加熱流路の変形部分で局部的に過熱されて、コックや蛇口(a cook or a faucet)などの排出部材を介して排出されるときに、水飛び(water splashing)が起きることがある。
【００１１】
そして、このように水飛びが生じると、飛来した水でユーザーが火傷するなどの事故が起きる場合がある。
【発明の概要】
【発明が解決しようとする課題】
【００１２】
本発明は、上記のような従来の技術で発生していた要求または問題の少なくとも何れか一つを認識してなされたものである。
【００１３】
本発明の目的の一側面は、水が加熱流路を流動しながら加熱されるように瞬間加熱装置に形成される加熱流路の変形を最小化することにある。
【００１４】
本発明の目的の他の側面は、加熱流路を流動する水が局部的に過熱されて外部に排出されるときに、水飛びが生じるのを最小化することにある。
【００１５】
本発明の目的のさらに他の側面は、過熱され排出されるときに、飛来した水でユーザーが火傷するなどの事故が発生しないようにすることにある。
【課題を解決するための手段】
【００１６】
上記課題の少なくとも一つの課題を実現するための一実施形態に係る瞬間加熱装置は、次のような特徴を有することができる。
【００１７】
本発明の一実施形態による瞬間加熱装置は、外部から水が流入される入水部と、入水部に流入された水が流動する流動部と、流動部を流動する水を加熱する加熱部と、加熱部によって加熱された水が外部に排出される出水部と、を含み、流動部は、加熱部の内部に配置される流路形成部材と、加熱部と流路形成部材との間に加熱流路が形成されるように流路形成部材を加熱部に密着させる密着加圧部と、を含むことができる。
【００１８】
この際、上記密着加圧部は、流路形成部材の内部に形成された挿入部に挿入され、流路形成部材を加熱部側に加圧する加圧部材を含むことができる。
【００１９】
また、上記密着加圧部は、加圧部材に加圧力を作用させる加圧力作用部材をさらに含むことができる。
【００２０】
そして、上記加圧部材は複数個であり、互いに合わさると、挿入部の形状に対応する中空の円筒、楕円筒、または多角筒を形成するものとすることができる。
【００２１】
また、上記加圧力作用部材は、複数個の加圧部材が合わさって形成される中空の円筒、楕円筒、または多角筒に対応する円柱、楕円柱、または多角柱の形状を有することができる。
【００２２】
そして、上記加圧力作用部材の外径は、加圧部材が合わさって形成される中空の円筒、楕円筒、または多角筒の内径より大きくすることができる。
【００２３】
また、上記加圧力作用部材は、挿入部に形成された嵌合孔に嵌合される嵌合突起を有することができる。
【００２４】
そして、上記流路形成部材はシリコンからなることができる。
【００２５】
また、加熱流路を形成する流路形成溝を、上記流路形成部材の外周に形成することができる。
【００２６】
そして、上記流路形成溝は螺旋状であることができる。
【００２７】
また、上記入水部と出水部には、それぞれ入水流路と出水流路が形成されていることができる。
【００２８】
そして、上記入水部の一部と出水部の一部は、流路形成部材の内部に形成された挿入部の一方の側と他方の側にそれぞれ挿入されることができる。
【００２９】
また、上記流路形成部材の一方の側と他方の側には、入水流路及び出水流路と加熱流路とをそれぞれ連結する第１連結孔と第２連結孔がそれぞれ形成さていることができる。
【００３０】
そして、上記入水部または出水部は、入水流路や出水流路を流動する水の温度を測定する温度センサーを含むことができる。
【００３１】
また、上記加熱部は、流路形成部材が内部に配置される加熱部材と、加熱部材に取り付けられて加熱部材を加熱するヒーターと、を含むことができる。
【００３２】
そして、上記ヒーターは面状発熱型のヒーターであることができる。
【００３３】
また、上記入水部、加熱部、及び出水部を覆うカバー部をさらに含むことができる。
【００３４】
そして、上記カバー部は、入水部、及び加熱部の一部を覆う入水側カバー部材と、入水側カバー部材に結合され、加熱部の残りの部分及び出水部を覆う出水側カバー部材と、を含むことができる。
【発明の効果】
【００３５】
以上のように、本発明の実施形態によると、密着加圧部により流路形成部材が加熱部に密着するようになり、加熱部と流路形成部材との間で水が流動しながら加熱される加熱流路を形成することができる。
【００３６】
また、本発明の実施形態によると、加熱流路の変形を最小化することができる。
【００３７】
さらに、本発明の実施形態によると、加熱流路を流動する水が局部的にされて外部に排出されるときに、水飛びが生じるのを最小化することができる。
【００３８】
また、本発明の実施形態によると、過熱され排出されるときに、飛来した水でユーザーが火傷するなどの事故が発生しないようにすることができる。
【図面の簡単な説明】
【００３９】
【図１】本発明による瞬間加熱装置の一実施形態の斜視図である。
【図２】本発明による瞬間加熱装置の一実施形態の分解斜視図である。
【図３】図１のＡ‐Ａエ線に沿った断面図である。
【図４】本発明による瞬間加熱装置の一実施形態の密着加圧部により流路形成部材が加熱部に密着され、加熱部と流路形成部材との間に加熱流路が形成されることを示す図である。
【図５】本発明による瞬間加熱装置の一実施形態の密着加圧部により流路形成部材が加熱部に密着され、加熱部と流路形成部材との間に加熱流路が形成されることを示す図である。
【図６】図３と同様の断面図であって、本発明による瞬間加熱装置の一実施形態の作動を示す図である。
【発明を実施するための形態】
【００４０】
上記のような本発明の特徴を容易に理解されるように、本発明の一実施形態による瞬間加熱装置を、図を参照しながら詳細に説明する。
【００４１】
以下では、図を参照しながら本発明の一実施形態を詳細に説明する。しかしながら、本発明は、実施の形態を様々に変形させることができ、実施の形態に限定されることはない。したがって、本発明は下記に説明された実施形態から本発明の技術範囲内で様々な変形実施が可能であり、このような変形実施形態は本発明の技術範囲内に属するというべきである。そして、以下で説明する実施形態の理解のために、添付された図面に記載の符号において、各実施形態で同一の作用をする構成要素のうち関連構成要素については、同一または延長線上の数字で表記した。
【００４２】
以下、図１から図６を参照して、本発明による瞬間加熱装置の一実施形態について説明する。
【００４３】
図１は本発明による瞬間加熱装置の一実施形態の斜視図であり、図２は本発明による瞬間加熱装置の一実施形態の分解斜視図であり、図３は図１のＡ‐Ａエ線に沿った断面図である。
【００４４】
また、図４及び図５は、本発明による瞬間加熱装置の一実施形態の密着加圧部により流路形成部材が加熱部に密着され、加熱部と流路形成部材との間に加熱流路が形成されることを示す図であり、図６は、図３と同様の断面図であって、本発明による瞬間加熱装置の一実施形態の作動を示す。
【００４５】
本発明による瞬間加熱装置の一実施形態は、入水部２００と、流動部３００と、加熱部４００と、出水部５００と、を含むことができる。
【００４６】
図６に示したように、入水部２００には、外部から水を流入させることができる。そのために、入水部２００には入水流路２１０が形成されることができる。
【００４７】
入水流路２１０は、例えば、図３に示したように、Ｌ字状とすることができる。しかしながら、入水流路２１０の形状は、特に限定されることはなく、水が流入し流動できる形状であれば、いかなる形状であってもよい。
【００４８】
入水部２００は入水ニップル２２０を含むことができる。入水ニップル２２０の一部は上述の入水流路２１０を形成することができる。そして、入水ニップル２２０は、例えば、取付部材（不図示）などによって貯蔵タンクや浄水フィルターなどの水供給源（不図示）に連結されることができる。
【００４９】
これにより、図６に示したように、水供給源の水は、入水ニップル２２０の入水流路２１０内に流入されて入水流路２１０を流動することができる。
【００５０】
入水部２００には、密封部材挿入溝２３０を形成することができる。密封部材挿入溝２３０には、例えば、図２及び図３に示したように、Ｏリングなどの密封部材Ｏを挿入することができる。これにより、入水部２００と、入水部２００を覆う後述のカバー部６００に含まれる入水側カバー部材６１０との間をシールすることができる。
【００５１】
入水部２００は温度センサー（不図示）を含むことができる。温度センサーは、入水部２００の入水流路２１０を流動する水の温度を測定するように入水部２００に備えられることができる。
【００５２】
例えば、温度センサーは、入水部２００の入水ニップル２２０に備えられることができる。しかしながら、入水部２００における温度センサーの位置は、特に限定されることはなく、入水部２００のいかなる位置に設けることができる。
【００５３】
また、温度センサーによって測定された入水流路２１０を流動する水の温度は、例えば、加熱流路Ｒを流動する水を後述の加熱部４００によって加熱するときに、加熱部４００での発熱量を調節するときに用いることができる。
【００５４】
図６に示したように、入水部２００、すなわち、入水部２００の入水流路２１０に流入された水は、流動部３００に流動する。
【００５５】
この目的のために、流動部３００は流路形成部材３１０を含むことができる。流路形成部材３１０は、図３に示したように、加熱部４００の内部に配置されることができる。また、流路形成部材３１０の外周には流路形成溝３１２が形成されることができる。
【００５６】
これにより、図３に示したように、加熱部４００と流路形成部材３１０との間に加熱流路Ｒが形成されることができる。そして、入水部２００の入水流路２１０に流入された水は、図６に示したように、加熱流路Ｒを流動することができる。
【００５７】
流路形成部材３１０の流路形成溝３１２は、例えば、図２に示したように、螺旋状に形成することができる。この場合、加熱流路Ｒも螺旋状となる。
【００５８】
しかしながら、流路形成溝３１２の形状は、特に限定されることはなく、加熱部４００と流路形成部材３１０との間に加熱流路Ｒが形成されるようにする形状であれば、ジグザグ形状とするなど、いかなる形状とすることができる。
【００５９】
流路形成部材３１０の一方の側、例えば、下部には、図２及び図３に示したように、入水流路２１０と加熱流路Ｒとを連結する第１連結孔３１３が形成されることができる。そして、図３に示したように、入水部２００の一部が流路形成部材３１０の内部に形成された挿入部３１１の一方の側、例えば、下部に挿入されることで、入水流路２１０が第１連結孔３１３を介して加熱流路Ｒに連結されることができる。
【００６０】
したがって、図６に示したように、入水部２００の入水流路２１０に流入された水が第１連結孔３１３を介して加熱流路Ｒに移動し、加熱流路Ｒを流動することができる。
【００６１】
図２及び図３に示したように、流路形成部材３１０の他方の側、例えば、上部には、出水部５００に形成される後述の出水流路５１０と加熱流路Ｒとを連結する第２連結孔３１４が形成されることができる。そして、出水部５００の一部が流路形成部材３１０の挿入部３１１の他方の側、例えば、上部に挿入されることで、第２連結孔３１４を介して出水流路５１０を加熱流路Ｒに連結することができる。
【００６２】
これにより、加熱流路Ｒを流動した水は、第２連結孔３１４を介して出水部５００の出水流路５１０に移動して出水流路５１０を流動し、その後、外部に排出されることができる。
【００６３】
図３に示したように、流路形成部材３１０の上述の挿入部３１１には、嵌合孔３１１ａを形成することができる。このような挿入部３１１の嵌合孔３１１ａには、図３及び図５に示したように、流動部３００に含まれ、且つ後述の密着加圧部３２０に含まれる加圧力作用部材３２２に形成された嵌合突起３２２ａを嵌合することができる。これにより、加圧力作用部材３２２を流路形成部材３１０の挿入部３１１内に安定して固定することができる。
【００６４】
流路形成部材３１０は、シリコンにより形成することができる。シリコンは、熱変形が比較的少なく、水と接触した際に、発癌物質などの有害物質が出るなどの望ましくない影響を水に与えることがない。
【００６５】
また、シリコンは、比較的弾性が高いため、後述のように、密着加圧部３２０によって容易に流路形成溝３１２以外の部分が加熱部４００に密着されるようにして加熱流路Ｒを形成することができる。
【００６６】
したがって、シリコンで流路形成部材３１０を構成して加熱部４００との間に加熱流路Ｒを形成すると、加熱流路Ｒが熱変形によって変形または閉塞することがなく、加熱流路Ｒを流動する水が変質されることがない。
【００６７】
そして、密着加圧部３２０により、流路形成溝３１２以外の流路形成部材３１０の部分が加熱部４００に容易に密着されるようにして加熱流路Ｒを容易に形成することができる。
【００６８】
しかしながら、流路形成部材３１０を形成する素材は上述のシリコンに限定されることはなく、熱変形が比較的少なく、水と接触したときに水の変質がなく、弾性が比較的高いものであれば、周知のいかなる素材も使用することができる。
【００６９】
図２及び図３に示したように、流動部３００は密着加圧部３２０をさらに含むことができる。密着加圧部３２０は、図４及び図５に示したように、加熱部４００と流路形成部材３１０との間に加熱流路Ｒが形成されるように、流路形成部材３１０を加熱部４００に密着させることができる。
【００７０】
これにより、流路形成部材３１０が加熱部４００に嵌合方式により嵌め込まれて流路形成部材３１０と加熱部４００との間に加熱流路Ｒが形成される場合に比べて、加熱流路Ｒの変形を最小化することができる。
【００７１】
したがって、加熱流路を流動する水が局部的に過熱されて外部に排出されるときに、水飛びの発生を最小化することができ、局部的に過熱して排出されるときに飛来した水でユーザーが火傷するなどの事故を防止することができる。
【００７２】
この目的のために、密着加圧部３２０は加圧部材３２１を含むことができる。加圧部材３２１は、図３及び図４に示したように、流路形成部材３１０の挿入部３１１に挿入されることができる。そして、加圧部材３２１は、流路形成部材３１０を加熱部４００側に加圧することができる。
【００７３】
これにより、図５に示したように、流路形成部材３１０が自らの弾性によって膨張して、流路形成部材３１０の流路形成溝３１２以外の部分が加熱部４００に密着されることができる。
【００７４】
このような加圧部材３２１は複数個設けることができる。例えば、図２に示したように、加圧部材３２１は２個とすることができる。しかしながら、加圧部材３２１の個数は、特に限定されることはなく、いかなる個数の加圧部材３２１を設けてもよい。
【００７５】
また、加圧部材３２１は、互いに合わさると、流路形成部材３１０の挿入部３１１の形状に対応する中空の円筒状、楕円筒、または多角筒を形成することができる。例えば、図２に示したように、２個の加圧部材３２１は中空の円筒を縦方向に２等分した形状であるため、互いに合わさると中空の円筒を形成することができる。
【００７６】
しかしながら、上述のように、加圧部材３２１は３個以上であってもよく、また、互いに合わせて楕円筒または多角筒を形成することもできる。
【００７７】
上述の構成の加圧部材３２１は、図４及び図５に示したように、全ての加圧部材３２１が流路形成部材３１０の挿入部３１１に挿入された状態で、流路形成部材３１０を放射状に、すなわち、半径方向外側に加圧することができる。そして、これにより、上述のように流路形成部材３１０の流路形成溝３１２以外の部分が弾性によって膨張して加熱部４００に密着されることができる。
【００７８】
密着加圧部３２０は加圧力作用部材３２２をさらに含むことができる。加圧力作用部材３２２は加圧部材３２１に加圧力を作用させることができる。
【００７９】
そのために、加圧力作用部材３２２は、図２に示したように、複数個の加圧部材３２１が合わさって形成される中空の円筒、楕円筒、または多角筒に対応する円柱、楕円柱、または多角柱の形状を有することができる。
【００８０】
また、加圧力作用部材３２２の外径Ｄ１は、加圧部材３２１が合わさって成る中空の円筒、楕円筒、または多角筒の内径Ｄ２より大きくすることができる。
【００８１】
これにより、図４及び図５に示したように、流路形成部材３１０の挿入部３１１に挿入された複数個の加圧部材３２１が成す中空の円筒、楕円筒、または多角筒に加圧力作用部材３２２が挿入されると、加圧部材３２１に加圧力が作用し、加圧部材３２１が拡がると同時に流路形成部材３１０を半径方向外側に加圧するようになる。
【００８２】
加熱部４００は、流動部３００内を流動する水を加熱することができる。すなわち、図６に示したように、加熱部４００は、流路形成部材３１０の流路形成溝３１２とともに形成した加熱流路Ｒ内を流動する水を加熱することができる。
【００８３】
このように加熱流路Ｒを流動する水を加熱部４００により直接加熱するため、比較的早い時間内に水を所望の所定温度まで加熱することができる。
【００８４】
加熱部４００は、加熱部材４１０と、ヒーター４２０と、を含むことができる。
【００８５】
加熱部材４１０の内部には流路形成部材３１０を配置することができる。これにより、流路形成部材３１０の流路形成溝３１２以外の部分が流路形成部材３１０の内面に密着されて加熱流路Ｒを形成することができる。
【００８６】
加熱部材４１０は、図２に示したように、例えば、中空の円筒形状とすることができる。しかしながら、加熱部材４１０の形状は、特に限定されることはなく、中空の楕円筒状または多角筒状など、流路形成部材３１０を内部に配置できる形状であれば、いかなる形状とすることができる。
【００８７】
加熱部材４１０はステンレススチールにより形成することができる。これにより、加熱部材４１０の熱伝導率が高く、後述のヒーター４２０によって比較的速く加熱されるため、加熱流路Ｒを流動する水をより迅速に加熱することができる。さらに、加熱部材４１０が水によって腐食することがない。
【００８８】
しかしながら、加熱部材４１０を形成する素材は、特に限定されることはなく、熱伝導率が高く、水に対して耐腐食性を有するものであれば、いかなる素材を使用することができる。
【００８９】
ヒーター４２０は、図２に示したように、加熱部材４１０に取り付けることができる。さらに、ヒーター４２０は、加熱部材４１０を加熱することができる。このようなヒーター４２０は、面状発熱型のヒーターとすることができる。しかしながら、ヒーター４２０は、特に限定されることはなく、加熱部材４１０を加熱できるものであれば、電熱線などの周知のいかなるものとすることができる。
【００９０】
図６に示したように、加熱部４００で加熱された水、すなわち、温水は、出水部５００を通って外部に排出されることができる。
【００９１】
この目的のために、出水部５００には、出水流路５１０を形成することができる。
【００９２】
出水流路５１０は、例えば、図３に示したようにＬ字状とすることができる。しかしながら、出水流路５１０の形状は、特に限定されることはなく、加熱部４００で加熱された水を外部に排出できる形状であれば、いかなる形状とすることができる。
【００９３】
出水部５００は、出水ニップル５２０を含むことができる。出水ニップル５２０には、上述の出水流路５１０の一部を形成することができる。さらに、出水ニップル５２０は、例えば、取付部材（不図示）などによってコックや蛇口などの排出部材（不図示）に連結されることができる。
【００９４】
これにより、図６に示したように、加熱流路Ｒを流動する間に加熱部４００によって加熱された水、すなわち、温水は、出水流路５１０に移動し、その後出水ニップル５２０の出水流路５１０を介して外部に排出されることができる。
【００９５】
出水部５００にも、密封部材挿入溝５３０を形成することができる。密封部材挿入溝５３０には、例えば、図２及び図３に示されたようなＯリングなどの密封部材Ｏを挿入することができる。これにより、出水部５００と、出水部５００を覆う後述のカバー部６００に含まれる出水側カバー部材６２０との間をシールすることができる。
【００９６】
出水部５００も、温度センサー（不図示）を含むことができる。温度センサーは、出水部５００の出水流路５１０を流動する水の温度を測定するために、出水部５００に設けることができる。
【００９７】
例えば、温度センサーは、出水部５００の出水ニップル５２０に設けることができる。しかしながら、温度センサーの出水部５００に設ける位置は、特に限定されることはなく、出水部５００のいかなる位置に設けることができる。
【００９８】
また、温度センサーによって測定された出水流路５１０を流動する水の温度は、例えば、上述の加熱部４００によって加熱流路Ｒを流動する水を加熱するときに、水を過熱しないように、加熱部４００での発熱量を調節するために用いることができる。
【００９９】
本発明による瞬間加熱装置１００の一実施形態は、図１及び図２に示したように、カバー部６００をさらに含むことができる。
【０１００】
カバー部６００は、図１及び図３に示したように、入水部２００、加熱部４００、及び出水部５００を覆うことができる。このようなカバー部６００により、入水部２００に入水される水の圧力が比較的高い場合にも、入水部２００、流動部３００、加熱部４００、及び出水部５００の間の連結を安定させることができる。
【０１０１】
図１に示したように、このようなカバー部６００は、入水側カバー部材６１０及び出水側カバー部材６２０を含むことができる。
【０１０２】
入水側カバー部材６１０は、図３に示したように、入水部２００、及び加熱部４００の一部を覆うことができる。そのために、入水側カバー部材６１０は、上部が開放した円筒形状を有することができる。しかしながら、入水側カバー部材６１０の形状は、特に限定されることはなく、入水部２００及び加熱部４００の一部を覆う形状であれば、いかなる形状とすることができる。
【０１０３】
図３に示したように、入水側カバー部材６１０、例えば、入水側カバー部材６１０の下面には第１露出孔６１１が形成されることができる。これにより、入水部２００の入水ニップル２２０が第１露出孔６１１を通過して外部に露出することができる。そして、これにより、コックやフォーセットなどの排出部材を容易に入水ニップル２２０に連結させることができる。
【０１０４】
入水側カバー部材６１０、例えば、入水側カバー部材６１０の開放した上部の内側には、結合溝６１２を形成することができる。結合溝６１２は、図２に示したようにＬ字状とすることができる。
【０１０５】
結合溝６１２には、出水側カバー部材６２０に形成された後述の結合突起６２２を挿入することができる。これにより、入水側カバー部材６１０に出水側カバー部材６２０を結合することができる。
【０１０６】
結合溝６１２の形状は、特に限定されることはなく、出水側カバー部材６２０の結合突起６２２を挿入し、入水側カバー部材６１０に出水側カバー部材６２０を結合できる形状であれば、周知のいかなる形状とすることができる。
【０１０７】
出水側カバー部材６２０は、入水側カバー部材６１０に結合することができる。さらに、出水側カバー部材６２０は、加熱部４００の残りの部分及び出水部５００を覆うことができる。
【０１０８】
そのために、出水側カバー部材６２０は、下部が開放した円筒形状を有することができる。しかしながら、出水側カバー部材６２０の形状は、特に限定されることはなく、入水側カバー部材６１０に結合し、加熱部４００の残りの部分及び出水部５００を覆うことができるものであれば、いかなる形状とすることができる。
【０１０９】
図３に示したように、出水側カバー部材６２０、例えば、出水側カバー部材６２０の上面には、第２露出孔６２１を形成することができる。これにより、出水部５００の出水ニップル５２０が第２露出孔６２１を通過して外部に露出することができる。そして、これにより、出水ニップル５２０を容易に水供給源に連結することができる。
【０１１０】
出水側カバー部材６２０、例えば、出水側カバー部材６２０の開放した下部の外側には、結合突起６２２を形成することができる。
【０１１１】
また、出水側カバー部材６２０の下部は、入水側カバー部材６１０の上部に挿入することができる。そして、出水側カバー部材６２０の結合突起６２２を入水側カバー部材６１０の上述の結合溝６１２に挿入して、出水側カバー部材６２０を入水側カバー部材６１０に結合することができる。
【０１１２】
結合突起６２２の形状は、特に限定されることはなく、入水側カバー部材６１０の結合溝６１２に挿入できる形状であれば、いかなる形状とすることができる。
【０１１３】
出水側カバー部材６２０には、設置孔６２３を形成することができる。設置孔６２３には、バイメタル（不図示）を設けるか、または、ヒーター４２０に連結される電線などを通すことができる。
【０１１４】
以上のように、本発明による瞬間加熱装置を用いると、密着加圧部により流路形成部材が加熱部に密着されて、加熱部と流路形成部材との間に水が流動しながら加熱される加熱流路を形成することができ、加熱流路の変形を最小化することができる。また、加熱流路を流動する水が局部的に過熱して外部に排出されるときに水飛びが生じるのを最小化することができ、過熱により飛来した水でユーザーが火傷するなどの事故を防止することができる。
【０１１５】
上記のように説明した瞬間加熱装置は、上記で説明された実施形態の構成が限定されて適用されるものではなく、上記実施形態が多様に変形され得るように、各実施形態の全部または一部を選択的に組み合わせて構成することもできる。
【図１】
0006603724.tif 000002
【図２】
0006603724.tif 000003
【図３】
0006603724.tif 000004
【図４】
0006603724.tif 000005
【図５】
0006603724.tif 000006
【図６】
0006603724.tif 000007